(57)【要約】【課題】グレーティングの接着強度を高めてグレーティングを安定させ、位相差のずれを小さくして記録・再生性能の低下を最小限に抑えることができる光ピックアップ装置を提供する。【解決手段】スライドベース２のレーザーダイオード前方の取付孔３にグレーティング１を嵌め込み、取付孔３に連通する注入部４から接着剤を取付孔に注入してグレーティング１を接着した光ピックアップ装置において、取付孔３の注入部４周辺の内面３ａを凹設してグレーティング１の外面との間隙を拡張し、注入部４から未硬化の接着剤Ｂが広がって充填される接着剤充填間隙１２を形成する。接着剤充填間隙１２に充填された接着剤Ｂでグレーティング１の接着強度を高めてグレーティング１を安定させ、位相差のずれを小さくして記録・再生性能の低下を最小限に抑える。【選択図】図４
2007184058.tif 000002
【特許請求の範囲】
【請求項１】
スライドベースのレーザーダイオード前方の取付孔にグレーティングを嵌め込み、取付孔に連通する注入部から接着剤を取付孔に注入してグレーティングを接着した光ピックアップ装置であって、取付孔の注入部周辺の内面を凹設してグレーティングの外面との間隙を拡張し、注入部から未硬化の接着剤が広がって充填される間隙寸法が０．１〜０．５ｍｍの接着剤充填間隙を形成したことを特徴とする光ピックアップ装置。
【請求項２】
スライドベースのレーザーダイオード前方の取付孔にグレーティングを嵌め込み、取付孔に連通する注入部から接着剤を取付孔に注入してグレーティングを接着した光ピックアップ装置であって、注入部から未硬化の接着剤が取付孔の内面とグレーティングの外面との間隙に広がるようにしたことを特徴とする光ピックアップ装置。
【請求項３】
取付孔の注入部周辺の内面とグレーティングの外面との間隙を拡張し、注入部から未硬化の接着剤が広がって充填される接着剤充填間隙を形成したことを特徴とする請求項２に記載の光ピックアップ装置。
【発明の詳細な説明】
【技術分野】
【０００１】
本発明は、光ディスク記録・再生装置等に搭載される光ピックアップ装置に関し、特に、グレーティングの接着強度を高めるように改善した光ピックアップ装置に関する。
【背景技術】
【０００２】
光ディスク記録・再生装置等に搭載される光ピックアップ装置は、スライドベースにレーザーダイオード、グレーティング、ビームスプリッター、立上げミラー（プリズムミラー）、対物レンズ、光検出器などをスライドベースに装着したもので、レーザーダイオードから発せられたレーザービームを、グレーティングとビームスプリッターにより３ビームに回折し、立上げミラーで上方に反射させて対物レンズで集光させながら光ディスクの記録面に照射し、その反射光束を光検出器で検出することにより、記録・再生が行われる。
【０００３】
このような光ピックアップ装置では、グレーティングなどの光学部品の固定が不十分であると、光学部品の振動による位相差のずれなどが大きくなって記録・再生性能の低下を招く恐れがある。また、光学部品の軸が傾いた状態で取付けられると、記録・再生が満足にできない不良品となる。
【０００４】
このため、光学部品を嵌め込む取付孔の対向部分に段状凹所を形成し、この段状凹所に接着剤を充填して光学部品の外周面の一部を接着することにより、光学部品を傾きが生じないようにした光ピックアップ装置が提案されている（特許文献１）。その他、グレーティングの前面にカップリングレンズを接着剤で接着して取付孔に挿着したもの（特許文献２）も提案されているが、これはグレーティングを接着剤で取付孔に接着するものではない。
【特許文献１】特開平１１−１１０８００号公報
【特許文献２】特開２００４−１１０９３０号公報
【発明の開示】
【発明が解決しようとする課題】
【０００５】
上記特許文献１の光ピックアップ装置では、接着剤が光学部品の裏側へ回りこまないように、光学部品の厚み方向の中間に対応する深さの段状凹所を設けて接着剤を充填するため、光学部品の厚みと同じ深さの凹所を設けて接着剤を充填する場合に比べると、光学部品と接着剤との接着面積が却って減少し、接着強度が低下して光学部品の固定が不十分になる恐れがあった。また、光学部品の表面側（上側）から接着剤を段状凹部に注入するため、光学部品の表面が接着剤で汚れる恐れもあった。
【０００６】
そこで、本出願人は、図５に示すように、グレーティング１の外周面下端に接着剤Ｂの溜まる凹部１ａを形成し、このグレーティング１をスライドベース２に形成された取付孔３に嵌め込むと共に、この取付孔３に下方から連通する注入部４を通じて接着剤Ｂを取付孔３に注入することにより、グレーティング１を接着剤Ｂで取付孔３に接着するようにした光ピックアップ装置を開発した。この光ピックアップ装置によれば、接着剤Ｂがグレーティング１の凹部１ａに充填されて実用的な接着強度が得られ、また、接着剤Ｂを下方から注入部４を通じて取付孔３に注入するので、グレーティング１の表面が接着剤Ｂで汚される心配も解消される。
【０００７】
しかしながら、上記の光ピックアップ装置は、グレーティング１の外周面と取付孔３の内周面との間隙が小さいため、接着剤Ｂが注入部４から上記の間隙に広がり難く、特に、接着剤Ｂの粘度が高ければ上記の間隙に広がることは殆どない。そのため、接着剤Ｂを上記の間隙まで侵入させて接着面積を拡大し、グレーティング１の接着強度を一層高めるためには、更に改良を加える必要があった。
【０００８】
本発明は上記の事情の下になされたもので、グレーティングの接着強度を更に高めてグレーティングを安定させ、位相差のずれを小さくして記録・再生性能の低下を最小限に抑えることができる光ピックアップ装置を提供することを解決課題としている。
【課題を解決するための手段】
【０００９】
上記の課題を解決するため、本発明の光ピックアップ装置は、スライドベースのレーザーダイオード前方の取付孔にグレーティングを嵌め込み、取付孔に連通する注入部から接着剤を取付孔に注入してグレーティングを接着した光ピックアップ装置であって、注入部から未硬化の接着剤が取付孔の内面とグレーティングの外面との間隙に広がるようにしたことを特徴とするものである。
【００１０】
本発明の光ピックアップ装置においては、取付孔の注入部周辺の内面とグレーティングの外面との間隙を拡張し、注入部から未硬化の接着剤が広がって充填される接着剤充填間隙を形成することが好ましい。
そして、本発明の一層具体化された好ましい光ピックアップ装置は、スライドベースのレーザーダイオード前方の取付孔にグレーティングを嵌め込み、取付孔に連通する注入部から接着剤を取付孔に注入してグレーティングを接着した光ピックアップ装置であって、取付孔の注入部周辺の内面を凹設してグレーティングの外面との間隙を拡張し、注入部から未硬化の接着剤が広がって充填される間隙寸法が０．１〜０．５ｍｍの接着剤充填間隙を形成したことを特徴とするものである。
【００１１】
ここで、「間隙寸法が０．１〜０．５ｍｍの接着剤充填間隙」とは、接着剤充填間隙の間隙寸法が一定で、その一定した間隙寸法が０．１〜０．５ｍｍの範囲内にある接着剤充填間隙と、接着剤充填間隙の間隙寸法が一定でなく、最大間隙部分の間隙寸法が０．５ｍｍ以下、最小間隙部分の間隙寸法が０．１ｍｍ以上である接着剤充填間隙との両者を含む概念である。
【発明の効果】
【００１２】
本発明の光ピックアップ装置は、注入部から未硬化の接着剤が取付孔の内面とグレーティングの外面との間隙に広がるようにしたため、接着剤とグレーティングの接着面積が拡大されてグレーティングの接着強度と安定性が向上し、グレーティングの振動による位相差のずれが小さくなって、記録・再生性能の低下を最小限に抑えることができる。そして、取付孔の注入部周辺の内面とグレーティングの外面との間隙を拡張し、注入部から未硬化の接着剤が広がって充填される接着剤充填間隙を形成したものは、この拡張された接着剤充填間隙に接着剤が容易に充填され、特に、最も具体化された光ピックアップ装置のように接着剤充填間隙の間隙寸法が０．１〜０．５ｍｍであると、接着剤の粘度が多少高くても接着剤充填間隙まで接着剤が確実に広がって充填されるため、使用できる接着剤の粘度の範囲が広くなり、従来の接着剤よりも高い粘度の接着剤を使用した場合でも、グレーティングを強固に接着することが可能となる。
【発明を実施するための最良の形態】
【００１３】
以下、図面を参照して本発明の具体的な実施形態を詳述する。
【００１４】
図１は本発明の一実施形態に係る光ピックアップ装置の平面図、図２は同装置の底面図、図３はレーザーダイオードを除いた同装置の左側面図、図４は同装置のグレーティングを装着した部分の拡大図である。
【００１５】
この光ピックアップ装置は、光ディスク記録・再生装置などに搭載されるものであって、アルミニウム等の金属製のスライドベース２の一側端には、レーザービームを照射するレーザーダイオード５が装着されている。そして、スライドベース２のレーザーダイオード前方（照射方向）に形成された取付孔３（図３，図４参照）には、レーザービームを回折させて３ビームを発生させるグレーティング１が嵌め込まれて、紫外線硬化型の接着剤Ｂで接着固定されている。
【００１６】
このグレーティング１の前方には、ビームを任意に反射と透過に分けて２分割するビームスプリッター６と、これらのビームを上方へ反射させる立上げミラー７が装着され、この立上げミラー７の上方には、ビームを集光して光ディスクに照射する対物レンズ８が装着されている。そして、ビームスプリッター６の片側には、センサーレンズ９と光検出器１０が装着されている。
【００１７】
また、スライドベース２の両側には軸受部１１ａ、１１ｂが形成されており、この軸受部１１ａ、１１ｂによって光ディスク記録・再生装置の２本のガイド軸（主軸と副軸）にスライド自在に搭載されるようになっている。
【００１８】
このような光ピックアップ装置は、光ディスク記録・再生装置の２本のガイド軸に沿って光ディスクの回転テーブルの方へスライドしながら、レーザーダイオード５から発せられたレーザービームを、グレーティング１とビームスプリッター６によって３ビームに回折して立上げミラー７で対物レンズ８の方へ反射させ、対物レンズ８で集光して光ディスクに照射することによって、記録・再生が行われる。
【００１９】
この光ピックアップ装置の大きい特徴はグレーティング１の装着部分にある。即ち、この光ピックアップ装置のグレーティング１を取付ける取付孔３は、改良前の取付孔３とは異なり、図４に拡大して示すように注入部４の周辺の取付孔３の内面３ａが凹設されて、この内面３ａとグレーティング１の外面との間隙が拡張されており、これによって注入部４から注入された未硬化の接着剤Ｂが広がって充填される接着剤充填間隙１２が形成されている。
【００２０】
従って、注入部４から未硬化の接着剤Ｂを注入すると、接着剤Ｂがグレーティング１の凹部１ａに充填されるのみならず、接着剤充填間隙１２にも広がって充填されるため、接着剤充填間隙１２に充填された接着剤Ｂの分だけグレーティング１の接着面積が拡大して接着強度が上がり、グレーティング１の安定性が更に向上するので、位相差のずれが一層小さくなって記録・再生性能の低下を最小限に抑えることができる。
【００２１】
この接着剤充填間隙１２の間隙寸法は０．１〜０．５ｍｍに設定することが好ましく、また、図４に示すように、注入部４側で間隙寸法が最大となり、注入部４から離れるほど間隙寸法が小さくなるような先細り状の間隙形状にすることが好ましい。上記の間隙寸法と間隙形状を有する接着剤充填間隙１２を形成すると、該間隙１２への接着剤Ｂの侵入、充填が更に容易になるため、通常使用される粘度が７００００センチポイズ程度の接着剤よりも高い粘度を有する接着剤を使用した場合でも確実に充填できるようになる。従って、使用できる接着剤の粘度の範囲が広くなり、通常の接着剤よりも高い粘度の接着剤を使用してグレーティング１を強固に接着固定することも可能となる。
【００２２】
なお、この実施形態の光ピックアップ装置では、接着剤充填間隙１２の形状を上記の先細り形状にしているが、これに限定されるものではなく、間隙寸法が一定した形状の接着剤充填間隙１２としても勿論よい。
【図面の簡単な説明】
【００２３】
【図１】本発明の一実施形態に係る光ピックアップ装置の平面図である。
【図２】同装置の底面図である。
【図３】レーザーダイオードを除いた同装置の左側面図である。
【図４】同装置のグレーティングを装着した部分の拡大図である。
【図５】改良前の光ピックアップ装置のグレーティングを装着した部分の拡大図である。
【符号の説明】
【００２４】
１    グレーティング
２    スライドベース
３    取付孔
３ａ  取付孔の注入部周辺の内面
４    注入部
５    レーザーダイオード
６    ビームスプリッター
７    立上げミラー
８    対物レンズ
Ｂ    接着剤
【図１】
2007184058.tif 000003
【図２】
2007184058.tif 000004
【図３】
2007184058.tif 000005
【図４】
2007184058.tif 000006
【図５】
2007184058.tif 000007